(57)【特許請求の範囲】
【請求項１】
利用者ＩＤに基づいて選曲した楽曲が予約待ち行列に登録される際に、既に選曲された楽曲との重複を告知する機能を備えるカラオケシステムであって、
利用者ＩＤ取得部、利用状態管理手段、楽曲検索選曲手段、予約管理手段、演奏履歴管理手段及び重複選曲告知手段を有し、
前記利用者ＩＤ取得部は、システムログインする利用者の利用者ＩＤを取得し、
前記利用状態管理手段は、利用者ＩＤにおけるログイン及びログアウトのシステム利用状態を管理し、
前記楽曲検索選曲手段は、利用者に楽曲を検索させて選曲させ、
前記予約管理手段は、選曲者が予約要求した楽曲を前記利用者ＩＤと共に順次前記予約待ち行列に登録し、
前記演奏履歴管理手段は、前記予約待ち行列にしたがって歌唱された楽曲を前記利用者ＩＤと共に順次演奏履歴リストに記憶させ、
前記重複選曲告知手段は、所定の利用者の前記楽曲検索選曲手段による選曲時に、選曲対象の候補楽曲が、前記予約待ち行列に登録され、若しくは前記演奏履歴リストに記憶され、かつ、当該登録若しくは記憶された楽曲の選曲者が前記システム利用状態においてログインである場合に重複している旨の告知を行う、
ことを特徴とする重複選曲告知機能を備えるカラオケシステム。
【発明の詳細な説明】
【技術分野】
【０００１】
本発明は、利用者の選曲した楽曲を予約待ち行列に登録して順次演奏する重複選曲告知機能を備えるカラオケシステムに関する。
【背景技術】
【０００２】
近年、カラオケシステムは、飲食店においても多く普及してきており、カラオケ歌唱空間を他人と共有することも多くなってきている。カラオケシステムでの歌唱は、楽曲を予約登録させて予約順に演奏が行われるのが一般的であるが、他人と同席した場合には、選曲に際して他人の歌唱した楽曲を避けることが望ましい。
【０００３】
従来、カラオケシステムにおいて予約登録するための選曲に対して警告を行う手法が以下の特許文献で提案されている。特許文献１では、通信部から送信された曲番号を予約情報記憶部に記憶する際、当該通信部から送信された曲と一致する曲が予約情報記憶部に既にある場合には、その選曲が重複していることを表示部で表示させることが提案されている。
【０００４】
また、特許文献２では、歌い手が選曲したカラオケ楽曲と同一の楽曲が予約されたカラオケ楽曲中に存在する場合には、その旨の警告をカラオケ用リモコン装置に表示することが提案されている。さらに、特許文献３では、予約する曲番号を演奏曲情報記憶部に登録する際に、予約登録中の楽曲内、若しくは過去に登録された所定の曲数内、若しくは所定時間以内に演奏された楽曲内で、当該予約する曲番号の曲が存在する場合には、登録不能としてスピーカや表示部で警告を発することが提案されている。
【０００５】
【特許文献１】特開平０８−２７２３８４号公報
【特許文献２】特開２００５−２７５３０７号公報
【特許文献３】特開平１０−０６９２８６号公報
【発明の開示】
【発明が解決しようとする課題】
【０００６】
しかしながら、上記各特許文献１〜３では現在予約登録されている楽曲と同一の楽曲を予約要求した場合に警告を発するものであり、予約者（歌唱者）が歌唱前に退席してその場にいないならば同一楽曲を歌唱しても問題がないにもかかわらず、その場合にも警告を発することになるという問題がある。同様に、特許文献３において警告を発する条件の対象を過去に登録された所定の曲数内や所定時間内で歌唱された楽曲として予約要求楽曲と同一楽曲か否かを判断するとしても、該当楽曲を既に歌唱した歌唱者がその場にいなければ同一楽曲を歌唱しても問題がないにもかかわらず、その場合にも同一楽曲であれば警告を発することになるという問題がある。
【０００７】
そこで、本発明は上記課題に鑑みなされたもので、予約要求の楽曲が既に他人に予約登録若しくは歌唱済であっても歌唱可能かを判断可能として利用者の歌唱機会を確保する重複選曲告知機能を備えるカラオケシステムを提供することを目的とする。
【課題を解決するための手段】
【０００８】
上記課題を解決するために、請求項１の発明では、利用者ＩＤに基づいて選曲した楽曲が予約待ち行列に登録される際に、既に選曲された楽曲との重複を告知する機能を備えるカラオケシステムであって、利用者ＩＤ取得部、利用状態管理手段、楽曲検索選曲手段、予約管理手段、演奏履歴管理手段及び重複選曲告知手段を有し、前記利用者ＩＤ取得部は、システムログインする利用者の利用者ＩＤを取得し、前記利用状態管理手段は、利用者ＩＤにおけるログイン及びログアウトのシステム利用状態を管理し、前記楽曲検索選曲手段は、利用者に楽曲を検索させて選曲させ、前記予約管理手段は、選曲者が予約要求した楽曲を前記利用者ＩＤと共に順次前記予約待ち行列に登録し、前記演奏履歴管理手段は、前記予約待ち行列にしたがって歌唱された楽曲を前記利用者ＩＤと共に順次演奏履歴リストに記憶させ、前記重複選曲告知手段は、所定の利用者の前記楽曲検索選曲手段による選曲時に、選曲対象の候補楽曲が、前記予約待ち行列に登録され、若しくは前記演奏履歴リストに記憶され、かつ、当該登録若しくは記憶された楽曲の選曲者が前記システム利用状態においてログインである場合に重複している旨の告知を行う、構成とする。
【発明の効果】
【０００９】
本発明によれば、予約待ち行列には選曲楽曲が利用者ＩＤと共に登録されると共に、当該予約待ち行列にしたがって歌唱された楽曲が利用者ＩＤと共に順次演奏履歴リストに記憶され、一方で利用者ＩＤにおけるログイン若しくはログアウトのシステム利用状態が管理されるものであり、所定の利用者の楽曲検索選曲手段による選曲時に、候補対象の楽曲が、予約待ち行列に登録され、若しくは演奏履歴リストに記憶され、かつ、当該登録若しくは記憶された楽曲の選曲者がシステム利用状態においてログインである場合に重複している旨の告知する構成とすることにより、登録若しくは記憶された楽曲の選曲者がシステムログイン状態である場合に警告することから、登録若しくは記憶された楽曲の選曲者がシステムログアウト状態であれば歌唱しても問題がなく、予約要求の楽曲が既に他人に予約登録若しくは歌唱済であっても歌唱可能かを判断可能として利用者の歌唱機会を確保することができるものである。
【発明を実施するための最良の形態】
【００１０】
以下、本発明の最良の実施形態を図により説明する。
図１に本発明のカラオケシステムにおけるカラオケ演奏端末のブロック構成図を示すと共に、図２に図１の演奏履歴リスト及び予約待ち行列の概念図を示す。図１において、ホスト装置１１はカラオケシステムの一部を構成するものとして、通信ネットワーク１２を介して所定数のカラオケ演奏端末１３を管理するものであり、相互にデータ授受自在に接続されたものである。
【００１１】
上記ホスト装置１１は、利用者データベース（利用者ＤＢ）２１を備え、当該利用者ＤＢ２１には、利用者ＩＤで管理される利用者毎に所定の情報が登録されたデータベースであり、利用者ＩＤに関連付けて例えば氏名、住所、ニックネーム、登録者の顔写真等のイメージファイル名などが適宜関連付けられて記憶される。
【００１２】
上記カラオケ演奏端末１３は、主要装置としてのカラオケ演奏装置３１に有線又は無線で外部接続されるものとして、表示部３２、ミキシングアンプ３３、マイク３４、スピーカ３５を備える。また、有線又は無線で遠隔入出力端末３６が接続される。そして、遠隔入出力端末３６は、楽曲検索選曲手段３７、利用者ＩＤ取得部３８、端末表示部３９及び重複選曲告知手段４０を備える。
【００１３】
上記表示部３２は、通常の楽曲選曲表示やカラオケ演奏時の映像、歌詞テロップを表示するもので、例えば液晶ディスプレイ（ＬＣＤ）、プラズマディスプレイ（ＰＤＰ）、その他種々のディスプレイを採用することができる。上記ミキシングアンプ３３は、カラオケ演奏装置３１より送られてくる演奏データとマイク３４からの音声信号をミキシングし、増幅してスピーカ３５より出力する。
【００１４】
上記遠隔入出力端末３６は、ユーザインタフェース機能を備えて対応のカラオケ演奏装置３１（後述の送受信部５３Ａ）に対して有線方式ないし無線方式（ＩＲ方式やブルートゥース（登録商標）機構のピコネット接続方式など）を利用してデータ授受を行うためのもので、そのための回路基板及びプログラムを備える。上記ユーザインタフェース機能としては、端末表示部３９としての液晶ディスプレイ（ＬＣＤ）とタッチセンサとを積層して入出力用とし、表示されるアイコン等に対応して当該タッチセンサにより楽曲の選択などのデータを入力することができるＧＵＩである。
【００１５】
また、遠隔入出力端末３６の備える楽曲検索選曲手段３７は、上記ユーザインタフェース機能により利用者に楽曲を検索させて選曲させるプログラムである。さらに、遠隔入出力端末３６の備える利用者ＩＤ取得部３８は、利用者のログイン要求で所持するＩＣカード等が提示された時に、当該ＩＣカード等から利用者ＩＤを取得して、図示しないＲＡＭに記憶させ、またカラオケ演奏装置３１の後述の利用者情報取得手段（４９）に送出する電子回路及びプログラムである。なお、利用ＩＤ取得部３８を、カラオケ演奏装置３１に備えさせてもよい。
【００１６】
また、遠隔入出力端末３６の備える重複選曲告知手段４０は、所定の利用者の選曲時に、選曲対象の楽曲が、予約待ち行列５５に登録され、若しくは演奏履歴管理手段５０によりＲＡＭ４４の演奏履歴リスト５６に記憶され、かつ、当該登録若しくは記憶された楽曲の選曲者がシステム利用状態においてログインである場合に重複している旨の告知を行うプログラムである。当該告知は、上記楽曲検索選曲手段３７による所定段階の検索結果の所定数の候補楽曲表示画面若しくは所定数の楽曲に絞り込まれた時の検索結果表示画面（図３で説明する）、若しくは最終選曲画面（図４で説明する）で、例えば端末表示部３９上で告知表示させるものである。
【００１７】
上記カラオケ演奏装置３１は、バス４１、中央制御部４２、ＲＯＭ４３、ＲＡＭ４４、楽曲ＤＢ４５、映像ＤＢ４６、再生制御部４７、音楽曲出力部４８、利用者情報取得手段４９、演奏履歴管理手段５０、予約管理手段５１、利用状態管理手段５２及び送受信部５３Ａ，５３Ｂを適宜備える。また、ＲＡＭ４４には、利用者別情報記憶部５４、予約待ち行列５５、演奏履歴リスト５６及び利用状態管理テーブル５７の記憶領域が形成される。なお、上記各構成について、本発明の要旨と直接関連しない要素部分であっても、従前のカラオケ装置においても大部分が適用可能であることを示すために、装置全体を説明する。
【００１８】
上記中央制御部４２は、このシステムを統括的に処理制御する物理的なＣＰＵであり、ＲＯＭ４３に記憶されているプログラムに基づくアルゴリズム処理を行う。上記ＲＡＭ４４は、後述する利用者別情報記憶部５４、予約待ち行列５５、演奏履歴リスト５６及び利用状態管理テーブル５７の記憶領域が形成される他に、上記種々のプログラムを展開、実行させるための作業領域としての役割をなすもので、例えば半導体メモリで構成され、仮想的にハードディスク上に構築される場合をも含む概念である。
【００１９】
上記楽曲ＤＢ４５は、楽曲ＩＤ、曲名及びアーチスト名が関連付けられた楽曲テーブルを有し、楽曲ＩＤで管理される所定データ形式のカラオケ楽曲の演奏データ（ＭＩＤＩデータ）及び歌詞テロップデータが同期されて構成される楽曲データ（ファイル）について楽曲コードをファイル名としてそれぞれ格納したデータベースであり、映像ＤＢ４６に格納された当該楽曲毎の背景映像を表示するための所定数のシーン映像を割り当てる割当データが関連付けられる。当該映像ＤＢ４６は、背景映像表示のための所定数のシーン映像データを所定数格納するデータベースである。なお、この楽曲ＤＢ４５及び映像ＤＢ４６を、カラオケ演奏装置３１ではなく、上記ホスト装置１１に備えさせることとしてもよい。
【００２０】
上記再生制御部４７は、演奏時に、映像ＤＢ４６より抽出された所定数のシーン映像データ及び楽曲ＩＤで楽曲ＤＢ４５より抽出された歌詞テロップデータ（歌詞文字データ）を当該楽曲の演奏データに同期させて表示部３２に出力する電子回路である。上記音楽曲出力部４８は、楽曲ＩＤで楽曲ＤＢ４５より抽出された演奏データをデジタル再生し、アナログ変換してミキシングアンプ３３に出力する電子回路である。
【００２１】
上記利用者情報取得手段４９は、上記利用者ＩＤ取得部３８で取得した利用者ＩＤに基づき送受信部５３Ｂ、通信ネットワーク１２を介してホスト装置１１の利用者ＤＢ２１より氏名、ニックネーム、イメージ等の利用者情報を取得し、当該利用者ＩＤに関連付けてＲＡＭ４４の利用者別情報記憶部５４に記憶させるプログラムである。
【００２２】
上記演奏履歴管理手段５０は、予約待ち行列５５にしたがって歌唱された楽曲を選曲者の利用者ＩＤと共に順次ＲＡＭ４４の演奏履歴リスト５６に記憶するプログラムである。演奏履歴リスト５６は、図２（Ａ）に示すように、歌唱された楽曲の楽曲ＩＤに選曲者の利用者ＩＤが附帯される。
【００２３】
上記予約管理手段５１は、選曲者が予約要求した楽曲を利用者ＩＤと共に順次ＲＡＭ４４の予約待ち行列５５に登録するプログラムである。予約待ち行列５５は、図２（Ｂ）に示すように、予約された楽曲の楽曲ＩＤに選曲者の利用者ＩＤが附帯される。
【００２４】
上記利用状態管理手段５２は、利用者ＩＤにおけるログイン及びログアウトのシステム利用状態をＲＡＭ４４の利用状態管理テーブル５７で管理するプログラムである。当該利用状態管理テーブル５７は、図２（Ｃ）に示すように、利用者（利用者ＩＤ）毎にログイン若しくはログアウトの状態が管理され、利用者のログイン若しくはログアウトの要求毎に更新される。
【００２５】
上記送受信部５３Ａは、遠隔入出力端末３６との間で有線方式ないし無線方式（ＩＲ方式やブルートゥース（登録商標）機構のピコネット接続方式など）を利用してデータ授受を行うためのもので、そのための電子回路及びプログラムである。上記送受信部５３Ｂは、上記ホスト装置１１と上記通信ネットワーク１２を介してデータ授受を行うためのもので、通信方式と整合性をとるための例えば物理的な通信用回路やプラットフォーム等のソフトウエアにより構成されるものである。また、後述の遠隔入出力端末３６は、送受信部５３Ａ，５３Ｂを介してホスト装置１１とデータ授受が可能としてもよい。
【００２６】
また、図示しないが、当該カラオケ演奏装置３１には、利用者による選択した楽曲の楽曲コードを直接入力するためのものや、演奏楽曲のテンポや、歌唱音声に対する種々の調節を行うボタンやツマミ類が可変抵抗器等の電子素子に直結された操作パネルも接続される。ところで、カラオケ演奏端末１３をスタンドアローンのカラオケシステムとして適用させる場合には上記ホスト装置１１の利用者ＤＢ２１を備えさせる構成とすることにより実現することができるものである。
【００２７】
そこで、図３に、図２の重複選曲告知手段の処理フローチャート等を示す。前提として、カラオケ演奏装置３１では、演奏履歴管理手段５０により、図２（Ａ）に示すような演奏履歴リスト５６が作成され、予約待ち行列５５には図２（Ｂ）に示すような楽曲が登録されているものとしている。また、上記利用状態管理手段５２により図２（Ｃ）に示すような利用者のシステム利用状態（ログイン中若しくはログアウト）が利用状態管理テーブル５７によって管理されている。ここでは、重複選曲告知の対象を、上記楽曲検索選曲手段３７による所定段階の検索結果の所定数の候補楽曲表示画面若しくは所定数の楽曲に絞り込まれた時の検索結果表示画面で行う場合としている。
【００２８】
図３（Ａ）において、所定の利用者が利用者ＩＤにより遠隔入出力端末３６で楽曲検索選曲手段３７より楽曲検索を行うと、重複選曲告知手段４０は、検索された所定数の候補楽曲の楽曲ＩＤを取得する（ステップ（Ｓ）１）。取得した所定数の候補楽曲（楽曲ＩＤ）について、上記演奏履歴リスト５６（図２（Ａ））及び予約待ち行列５５（図２（Ｂ））を参照して、当該候補楽曲（楽曲ＩＤ）が存在するか否かを判断する（Ｓ２）。当該候補楽曲が何れかに存在する場合に、存在した対象楽曲の選曲者がログアウトしているか否かを利用状態管理テーブル５７（図２（Ｃ））におけるログイン状態より判断する（Ｓ４）。
【００２９】
例えば、図２（Ａ）に示す対象楽曲の楽曲ＩＤが＊＊＊＊＊＊２の場合に、当該楽曲の選曲者（利用者ＩＤ（Ｂ））が利用状態管理テーブル５７（図２（Ｃ））により未だログイン状態であり、また、図２（Ａ）に示す対象楽曲の楽曲ＩＤが＊＊＊＊＊＊４の場合に、当該楽曲の選曲者（利用者ＩＤ（Ｃ））が利用状態管理テーブル５７（図２（Ｃ））により既にログアウト状態であることを確認する。
【００３０】
そして、例えば対象楽曲の楽曲ＩＤが＊＊＊＊＊＊２の場合の時に、選曲者がログイン状態であることから、楽曲検索選曲手段３７に対し、当該候補楽曲が演奏履歴リスト（対象が予約待ち行列５５に存在すれば予約楽曲リスト）で重複する旨の表示をさせるべく当該候補楽曲の楽曲ＩＤ及びその選曲者の利用者ＩＤを送出する（Ｓ４）。
【００３１】
楽曲検索選曲手段３７では、例えば遠隔入出力端末３６の端末表示部３９において検索結果表示画面又は所定数の楽曲に絞り込まれた検索結果表示画面の場合において、図３（Ｂ）に示すように、対象の楽曲欄に選曲歌唱済の「選・歌済」の告知表示６１や、予約待ち行列５５の楽曲リストに存在した場合には選曲済である「選済」の告知表示６１が行われる。
【００３２】
図３（Ａ）に戻り、重複選曲告知手段４０において、所定数の候補楽曲（楽曲ＩＤ）が上記取得した演奏履歴リスト５６及び予約待ち行列５５の楽曲リストに存在しない場合（Ｓ２）、又は、存在した対象楽曲の選曲者がログアウトしている場合には（Ｓ３）、処理を終了する。この場合には、楽曲検索選曲手段３７に重複選曲告知手段４０より重複した楽曲の楽曲ＩＤが送出されないことから、図３（Ｂ）に示すような検索結果表示画面又は所定数の楽曲に絞り込まれた検索結果表示画面には告知表示６１は行われないものである。
【００３３】
なお、図３（Ａ）の処理フローチャートにおいて、候補楽曲が演奏履歴リスト５６及び予約待ち行列５５の楽曲リストに存在するか否か（Ｓ２）、及び、存在した対象楽曲の選曲者がログアウトしているか否か（Ｓ３）の判断を時系列で示したが、実際にはほぼ同時進行で処理されるものである。
【００３４】
このように、選曲時の選曲対象楽曲について、予約待ち行列５５に予約登録され若しくは演奏履歴リスト５６に記憶された楽曲の選曲者がシステムログイン状態である場合に警告することとし、当該選曲者がシステムログアウト状態であれば歌唱しても問題がなく、予約要求の楽曲が既に他人に予約登録若しくは歌唱済であっても歌唱可能かを判断可能として利用者の歌唱機会を確保することができるものである。
【００３５】
次に、図４に、図２における重複選曲告知手段の他の処理フローチャート等を示す。ここでは、重複選曲告知の対象を、上記楽曲検索選曲手段３７による検索結果として最終選曲画面で行う場合としている。
【００３６】
図４（Ａ）において、所定の利用者が利用者ＩＤにより遠隔入出力端末３６で楽曲検索選曲手段３７より楽曲検索を行うことによって所定数の候補楽曲が端末表示部３９に表示され（Ｓ１１）、重複選曲告知手段４０が当該利用者により検索された候補楽曲から指定された最終候補楽曲（一曲）の楽曲ＩＤを取得する（Ｓ１２）。
【００３７】
上記取得した候補楽曲（楽曲ＩＤ）について、上記演奏履歴リスト５６（図２（Ａ））及び予約待ち行列５５（図２（Ｂ））を参照して、当該候補楽曲（楽曲ＩＤ）が存在するか否かを判断する（Ｓ１３）。当該候補楽曲が何れかに存在する場合に、存在した対象楽曲の選曲者がログアウトしているか否かを利用状態管理テーブル５７（図２（Ｃ））におけるログイン状態より判断する（Ｓ１４）。
【００３８】
そして、上記の例でいえば、対象楽曲の楽曲ＩＤが＊＊＊＊＊＊２の場合の時に、選曲者がログイン状態であることから、楽曲検索選曲手段３７に対し、当該候補楽曲が演奏履歴リスト（対象が予約待ち行列５５に存在すれば予約楽曲リスト）で重複する旨の表示をさせるべく当該候補楽曲の楽曲ＩＤ及びその選曲者の利用者ＩＤを送出する（Ｓ１５）。
【００３９】
楽曲検索選曲手段３７では、遠隔入出力端末３６の端末表示部３９に表示させる最終候補楽曲について、図４（Ｂ）に示すように、例えば端末表示部３９の一部に当該選曲者の氏名等が選曲済である告知表示６１が行われる。
【００４０】
ところで、図４（Ａ）において、重複選曲告知手段４０が、最終候補楽曲（楽曲ＩＤ）が上記演奏履歴リスト５６及び予約待ち行列５５の楽曲リストに存在しない場合（Ｓ１３）、又は、存在した対象楽曲の選曲者がログアウトしている場合には（Ｓ１４）、処理を終了する。この場合には、楽曲検索選曲手段３７に重複選曲告知手段４０より重複した楽曲の楽曲ＩＤが送出されないことから、図４（Ｂ）に示すような最終候補楽曲の表示画面には告知表示６１は行われないものである。
【００４１】
なお、図４（Ａ）の処理フローチャートにおいても、候補楽曲が演奏履歴リスト５６及び予約待ち行列５５の楽曲リストに存在するか否か（Ｓ１３）、及び、存在した対象楽曲の選曲者がログアウトしているか否か（Ｓ１４）の判断を時系列で示したが、実際にはほぼ同時進行で処理されるものである。
【００４２】
このように、楽曲検索結果として最終選曲画面において重複選曲の告知を行うこととしても、上記同様に、選曲時の選曲対象楽曲が、予約待ち行列５５に予約登録され若しくは演奏履歴リスト５６に記憶された楽曲と重複した場合に、選曲者がシステムログイン状態である場合に警告することとし、当該選曲者がシステムログアウト状態であれば歌唱しても問題がなく、予約要求の楽曲が既に他人に予約登録若しくは歌唱済であっても歌唱可能かを判断可能として利用者の歌唱機会を確保することができるものである。
【産業上の利用可能性】
【００４３】
本発明の重複選曲告知機能を備えるカラオケシステムは、カラオケの楽曲検索選曲機能を備えるカラオケ装置の分野に利用可能である。
【図面の簡単な説明】
【００４４】
【図１】本発明のカラオケシステムにおけるカラオケ演奏端末のブロック構成図である。
【図２】図１の演奏履歴リスト及び予約待ち行列の概念図である。
【図３】図２の重複選曲告知手段の処理フローチャート等である。
【図４】図２における重複選曲告知手段の他の処理フローチャート等である。
【符号の説明】
【００４５】
１１            ホスト装置
１３            カラオケ演奏端末
２１            利用者ＤＢ
３１            カラオケ演奏装置
３６            遠隔入出力端末
３７            楽曲検索選曲手段
３８            利用者ＩＤ取得部
３９            端末表示部
４０            重複選曲告知手段
５０            演奏履歴管理手段
５１            予約管理手段
５２            利用状態管理手段
５５            予約待ち行列
５６            演奏履歴リスト
５７            利用状態管理テーブル
６１            告知表示
【図１】
0005116453.tif 000002
【図２】
0005116453.tif 000003
【図３】
0005116453.tif 000004
【図４】
0005116453.tif 000005